(57)【要約】  【課題】  気化用部材の通気面積が大きく加湿効率に優れ、フィルタや本体等の清掃及びメンテナンスが容易で衛生性に優れると共に、デザインの自由度が高く外観に優れる加湿器を提供することを目的とする。  【解決手段】  本発明の加湿器１は、ベース部３と、ベース部３に開口された送風口４と、送風口４の下部に配設された送風機５と、ベース部３の外周部に配設された環状の貯水部７と、筒状に形成され下端部が貯水部７に挿入される気化用フィルタ部１２と気化用フィルタ部１２の上部開口部に覆設されたカバー部１３とを有する気化用部材１０と、を備えた構成を有している。【選択図】  図１
2006170573.tif 000002
【特許請求の範囲】
【請求項１】
ベース部と、
前記ベース部の外周部又は上面に配設された環状の貯水部と、
前記貯水部の内周側の前記ベース部に開口した送風口と、
前記送風口の下部に配設された送風機と、
筒状に形成され下端部が前記貯水部に挿入される気化用フィルタ部と前記気化用フィルタ部の上部開口部に覆設されたカバー部とを有する気化用部材と、
を備えていることを特徴とする加湿器。
【請求項２】
前記気化用部材が、前記気化用フィルタ部が張設された枠体部を備えていることを特徴とする請求項１に記載の加湿器。
【請求項３】
前記気化用部材の内部に配設された照明部を備えると共に、前記気化用フィルタ部が透光性を有することを特徴とする請求項１又は２に記載の加湿器。
【請求項４】
前記気化用フィルタ部の上端部から内側下方に向けて延設された上端フィルタ延設部と、前記ベース部の上方に支柱部を介して支持され前記上端フィルタ延設部の先端部が挿入される上部貯水部と、を備えていることを特徴とする請求項１乃至３の内いずれか１項に記載の加湿器。
【請求項５】
前記気化用フィルタ部の上端部に配設され前記気化用フィルタ部との当接面に複数の水供給孔が穿設された管体からなる水供給部を備えていることを特徴とする請求項１乃至３の内いずれか１項に記載の加湿器。
【請求項６】
水溜め部と、前記水溜め部から前記貯水部又は前記上部貯水部若しくは前記水供給部に接続された水供給管と、前記水供給管に配設された水供給ポンプと、前記貯水部から前記水溜め部に接続された水還流管と、を備えていることを特徴とする請求項１乃至５の内いずれか１項に記載の加湿器。
【発明の詳細な説明】
【技術分野】
【０００１】
本発明は気化方式の加湿器に関するものである。
【背景技術】
【０００２】
従来、加湿器としては、超音波により水を霧状にして放出する超音波方式のものと、水を加熱して蒸発させる加熱方式のものと、吸水性を有するフィルタに吸収された水を気化させる気化方式ものが用いられていた。
【０００３】
超音波方式や加熱方式のものは装置が比較的小型で多量の加湿量が得られるが、超音波方式では水中の不純物が水と共に空気中に放出されるため衛生性に欠けるという問題点があり、加熱方式では加熱するための消費電力が大きく省エネルギ性に欠けるという問題点があった。
一方、気化方式の加湿器は、フィルタに空気を通過させ又はフィルタに沿って空気を流してフィルタが保持している水を気化すなわち自然蒸発させて加湿を行うため、不純物を空気中に放出することなく、また過度な湿度となることもなく、さらにファン等の送風機の消費電力も小さく、衛生性、加湿性、及び省エネルギ性に優れている。
このような気化方式の加湿器としては、特許文献１に示すものがある。特許文献１の加湿器は、水を供給する水供給部と、水供給部により供給される水を通気空間に晒すことにより水蒸気として放出する気化用部材とが設けられ、気化用部材に紫外線を照射するための紫外線ランプが設けられた構成を有している。
【０００４】
【特許文献１】特開２００３−２４０２８３号公報
【発明の開示】
【発明が解決しようとする課題】
【０００５】
しかしながら、上記従来の技術では以下のような課題を有していた。
（１）特許文献１の加湿器では、気化用部材が加湿器のケーシング内に配設されているので、気化用部材の通気面積が小さく加湿効率が低いと共に、通気面積を大きくすると加湿器が大型化するという課題を有していた。
（２）また、ケーシング内において気化用部材に送風し、気化用部材を通過した風をケーシングの側面に形成された排気口から送出しているので、ケーシングの内壁等に結露が生じカビ等が繁殖し易く衛生性に欠けると共に、構造上ケーシングの内部の清掃を行うことが困難であるという課題を有していた。
（３）さらに、全体がケーシングで覆われているので、全体の形状等が単調になりデザインの自由度に欠けるという課題を有していた。
【０００６】
本発明は、上記従来の課題を解決するもので、気化用部材の通気面積が大きく加湿効率に優れ、フィルタや本体等の清掃及びメンテナンスが容易で衛生性に優れると共に、デザインの自由度が高く外観に優れる加湿器を提供することを目的とする。
【課題を解決するための手段】
【０００７】
上記課題を解決するために本発明の加湿器は、以下の構成を有している。
本発明の請求項１に記載の加湿器は、ベース部と、前記ベース部の外周部又は上面に配設された環状の貯水部と、前記貯水部の内周側の前記ベース部に開口した送風口と、前記送風口の下部に配設された送風機と、筒状に形成され下端部が前記貯水部に挿入される気化用フィルタ部と前記気化用フィルタ部の上部開口部に覆設されたカバー部とを有する気化用部材と、を備えた構成を有している。
【０００８】
この構成により、以下のような作用を有する。
（１）気化用フィルタ部の下端部を貯水部に挿入し貯留された水に浸漬しているので、気化用フィルタ部に水を吸収させ浸潤させることができる。
（２）送風機により気化用部材の内部に送入された空気が気化用フィルタ部を通過するときに、気化用フィルタ部に吸収された水が自然蒸発し水蒸気となり、通過する空気と共に外気に放出されることにより、室内等の加湿を行うことができる。
（３）筒状に形成された気化用フィルタ部を備え、気化用フィルタ部の外周面が外気に露出しているので、通気面積が大きく加湿効率に優れると共に、気化用フィルタ部の全周から水蒸気が放出されるので、室内等を均一且つ速やかに加湿することができる。
（４）ベース部と送風機と貯水部と気化用部材とにより構成されているので、部品点数が少なく構造が簡単で生産性に優れると共に、内部で結露が発生し難く衛生性に優れる。
（５）気化用部材は気化用フィルタ部の下端部で貯水部の底壁に載置されているだけなので、簡単に取り外して洗浄等ができ、またベース部や貯水部の清掃やメンテナンス等も容易で衛生性及びメンテナンス性に優れる。
（６）気化用部材の形状を円筒状や多角筒状等の種々の形状にすることができるので、デザインの自由度に優れる。
【０００９】
ここで、気化用フィルタ部の材質としては、吸水性を有する織布又は不織布、合成紙、パルプ材、ウレタン樹脂等の合成樹脂材等が用いられる。また、気化用フィルタ部としては、単体で筒状の形状を有するものであってもよく、或いは枠体等に張設して筒状に形成されるものであってもよい。
貯水部としては、例えば内周壁と外周壁と底壁とを有するものが用いられ、少なくとも上部が開口したものが用いられる。貯水部の上部に埃等の侵入を防ぐための貯水部カバー部を設けてもよく、この場合、貯水部カバー部に気化用フィルタ部の厚みと略同一のスリット部を設けることにより、スリット部を介して気化用フィルタ部の下端部を貯水部に挿入することができる。また、貯水部に水位センサを設け、貯留された水の減少をランプを点灯させる等して報知してもよく、或いは貯留された水が減少した場合にベース部上等に配設された水タンクから自動で水を補給するようにしてもよい。なお、貯水部に貯水される水としてラベンダー等の香料を含んだ香水を用いてもよく、加湿と共に室内に心地よい香りを充満させリラックス効果を得ることができる。
【００１０】
本発明の請求項２に記載の発明は、請求項１に記載の加湿器であって、前記気化用部材が、前記気化用フィルタ部が張設された枠体部を備えた構成を有している。
【００１１】
この構成により、請求項１の作用に加え、以下のような作用を有する。
（１）気化用フィルタ部として薄肉のものや布状のものを用いることができるので、気化用フィルタ部の選択の幅が広がり、吸水性の高いものや通気性の高いもの等、種々の特性を有するものを選択して用いることができる。
【００１２】
ここで、枠体部としては、合成樹脂や金属の線条で形成されたもの、筒状に形成された金網や合成樹脂製等の網体等が用いられる。
【００１３】
本発明の請求項３に記載の発明は、請求項１又は２に記載の加湿器であって、前記気化用部材の内部に配設された照明部を備えると共に、前記気化用フィルタ部が透光性を有した構成を有している。
【００１４】
この構成により、請求項１又は２の作用に加え、以下のような作用を有する。
（１）照明部を点灯させることにより、透光性を有する気化用フィルタ部を通して室内等を照明することができる。
【００１５】
ここで、照明部としては、電球や発光ダイオード等が用いられる。透光性を有する気化用フィルタ部としては、薄地の織布や不織布等が用いられる。
【００１６】
本発明の請求項４に記載の発明は、請求項１乃至３の内いずれか１項に記載の加湿器であって、前記気化用フィルタ部の上端部から内側下方に向けて延設された上端フィルタ延設部と、前記ベース部の上方に支柱部を介して支持され前記上端フィルタ延設部の先端部が挿入される上部貯水部と、を備えた構成を有している。
【００１７】
この構成により、請求項１乃至３の内いずれか１項の作用に加え、以下のような作用を有する。
（１）上端フィルタ延設部の先端部を上部貯水部に挿入し貯留された水に浸漬しているので、上端フィルタ延設部を介して気化用フィルタ部に水を吸収させ浸潤させることができる。
（２）気化用フィルタ部に吸収された水には気化用フィルタ部の吸水作用と共に重力が作用するので、気化用フィルタ部の全体に渡って速やかに浸潤させることができ、加湿効率を高めることができる。
【００１８】
ここで、上部貯水部としては、例えば内周壁と外周壁と底壁とを有し上部が開口したものや、環状の管体により形成されその上部に上端フィルタ延設部が挿入されるスリット部を設けたもの等が用いられる。
上端フィルタ延設部の材質として上述した気化用フィルタ部と同様のものが用いられる。上端フィルタ延設部は気化用フィルタ部の上端部を折り曲げて形成してもよく、或いは気化用フィルタ部とは別体で構成してもよい。別体とした場合は、上部貯水部としてスリット部を備えた管体を用い、上端フィルタ延設部の中間部を折り曲げ、一端側を上部貯水部のスリット部に挿入して保持させ、他端側を気化用フィルタ部の上端部の内周面に接触させる。これにより、気化用部材の取り付け取り外しが容易になり洗浄やメンテナンスを簡単に行うことができる。
上部貯水部と貯水部等とを接続する揚水管と、該揚水管に配設された揚水ポンプと、を備えることもできる。これにより、揚水ポンプを駆動することにより、貯水部に貯留した水を上部貯水部に揚水して水の供給や循環を行うことができる。なお、揚水ポンプの駆動は、上部貯水部に水位検出器を設けて常に所定の水位を維持するように自動で行ってもよく、スイッチ等を設けて適宜必要に応じて行うようにしてもよい。
【００１９】
本発明の請求項５に記載の発明は、請求項１乃至３の内いずれか１項に記載の加湿器であって、前記気化用フィルタ部の上端部に配設され前記気化用フィルタ部との当接面に複数の水供給孔が穿設された管体からなる水供給部を備えた構成を有している。
【００２０】
この構成により、請求項１乃至３の内いずれか１項の作用に加え、以下のような作用を有する。
（１）水供給部の水供給孔から気化用フィルタ部の上端部に水を供給し吸収させることができるので、吸収された水には気化用フィルタ部の吸水作用と共に重力が作用し、気化用フィルタ部の全体に渡って速やかに浸潤させることができ、加湿効率を高めることができる。
（２）水供給部としてゴム製や合成樹脂製のパイプやチューブ、ホース等を用いることができるので、構造を簡単にでき部品点数も少なくできる。
【００２１】
ここで、水供給部の材質としては、可撓性を有する塩化ビニル等の合成樹脂管や硬質合成樹脂管等が用いられる。また、水供給孔の孔径は１ｍｍ〜５ｍｍ程度に形成され、水供給部に１ｃｍ〜１０ｃｍ程度の間隔で複数形成される。
【００２２】
本発明の請求項６に記載の発明は、請求項１乃至５の内いずれか１項に記載の加湿器であって、水溜め部と、前記水溜め部から前記貯水部又は前記上部貯水部若しくは前記水供給部に接続された水供給管と、前記水供給管に配設された水供給ポンプと、前記貯水部から前記水溜め部に接続された水還流管と、を備えた構成を有している。
【００２３】
この構成により、請求項１乃至５の内いずれか１項の作用に加え、以下のような作用を有する。
（１）水供給ポンプにより水溜め部の水を水供給管を介して貯水部又は上部貯水部若しくは水供給部に自動で供給することができると共に、上部貯水部や水供給部から気化用フィルタ部に吸収された水の内、気化されなかった水を貯水部に流下させ、貯水部から水還流管を介して水溜め部に返送させることができる。
（２）貯水部又は上部貯水部に水位検出器を設け、所定の水位まで水が溜まると水供給ポンプの駆動を停止させるようにすれば、加湿動作中は常に所定の水位に維持することができ、連続した加湿動作を維持することができる。
（３）水還流管を備えているので、加湿動作を行わない場合、水供給ポンプを停止させれば貯水部の水を水溜め部に返送することができ、気化用フィルタ部を乾いた状態に維持することができるので、気化用フィルタ部にカビ等が発生したり細菌が繁殖したりすることを防ぐことができ衛生性に優れる。
【発明の効果】
【００２４】
以上説明したように本発明によれば、以下のような有利な効果が得られる。
請求項１に記載の発明によれば、
（１）筒状に形成された気化用フィルタ部を備え、気化用フィルタ部の外周面が外気に露出しているので、通気面積が大きく加湿効率に優れた加湿器を提供することができる。
（２）気化用フィルタ部の全周から水蒸気が放出されるので、室内等を均一且つ速やかに加湿することができる加湿性に優れた加湿器を提供することができる。
（３）ベース部と送風機と貯水部と気化用部材とにより構成されているので、構造が簡単で生産性に優れた加湿器を提供することができる。
（４）内部で結露が発生し難く衛生性に優れた加湿器を提供することができる。
（５）気化用部材は気化用フィルタ部の下端部で貯水部の底壁に載置されているだけなので、簡単に取り外して洗浄等ができ、またベース部や貯水部の清掃やメンテナンス等も容易で衛生性及びメンテナンス性に優れた加湿器を提供することができる。
（６）気化用部材の形状を円筒状や多角筒状等の種々の形状にすることができるデザインの自由度に優れた加湿器を提供することができる。
【００２５】
請求項２に記載の発明によれば、請求項１の効果に加え、
（１）気化用フィルタ部として薄肉のものや布状のものを用いることができるので、気化用フィルタ部の選択の幅が広がり、吸水性の高いものや通気性の高いもの等、種々の特性を有するものを選択して用いることができる加湿器を提供することができる。
【００２６】
請求項３に記載の発明によれば、請求項１又は２の効果に加え、
（１）照明部を点灯させることにより、透光性を有する気化用フィルタ部を通して室内等を照明することができる加湿器を提供することができる。
【００２７】
請求項４に記載の発明によれば、請求項１乃至３の内いずれか１項の効果に加え、
（１）気化用フィルタ部に吸収された水には気化用フィルタ部の吸水作用と共に重力が作用するので、気化用フィルタ部の全体に渡って速やかに浸潤させることができる加湿効率に優れた加湿器を提供することができる。
【００２８】
請求項５に記載の発明によれば、請求項１乃至３の内いずれか１項の効果に加え、
（１）水供給部の水供給孔から気化用フィルタ部の上端部に水を供給し、気化用フィルタ部の全体に渡って速やかに浸潤させることができる加湿効率に優れた加湿器を提供することができる。
（２）水供給部としてゴム製や合成樹脂製のパイプやチューブ、ホース等を用いることができるので、構造を簡単にでき部品点数も少なくできる生産性やメンテナンス性に優れた加湿器を提供することができる。
【００２９】
請求項６に記載の発明によれば、請求項１乃至５の内いずれか１項の効果に加え、
（１）水供給ポンプにより水溜め部の水を貯水部又は上部貯水部若しくは水供給部に自動で供給することができ、加湿動作中は常に所定の水位に維持することができ、連続した加湿動作を維持することができる加湿器を提供することができる。
（２）水供給ポンプを停止させれば貯水部の水を水還流管を介して水溜め部に返送することができ、気化用フィルタ部を乾いた状態に維持することができるので、気化用フィルタ部にカビ等が発生したり細菌が繁殖したりすることを防ぐことができる衛生性に優れた加湿器を提供することができる。
【発明を実施するための最良の形態】
【００３０】
以下、本発明の一実施の形態について、図１乃至図４を用いて説明する。
（実施の形態１）
図１は本実施の形態１における加湿器の全体斜視図であり、図２は本実施の形態１における加湿器の側面断面図である。
図中、１は本実施の形態１における加湿器、２は加湿器１の本体部、３は円板状のベース部、４は後述の気化用部材の内部に風を送り込むためにベース部３に開口された送風口、５は送風口４の下部に配設された送風機、５ａは送風機５の上部にフランジ状に形成されベース部３の下面に螺着等により固定された送風機取付部、５ｂは送風機５に内設されたファン、６はベース部３の下面に固定された複数の支持脚部、７はベース部３の外周部に配設された円環状の貯水部、７ａ，７ｂ，７ｃは貯水部７の内周壁，外周壁，底壁である。貯水部７は合成樹脂材によりベース部３と一体成形されるか、又は別体で構成され、ベース部３の外周部に内周壁７ａの上端部が隙間なく接合される。８はベース部３の上面の略中央部に配設された照明部、８ａは電球、８ｂはソケット、１０は気化用部材、１１は一対の円環状部材を複数の棒状部材で上下に連結して形成された枠体部、１２は吸水性及び透光性を有する織布や不織布、紙、合成紙等により形成され枠体部１１の側周部に張設された気化用フィルタ部、１３は枠体部１１の上部に覆設されたカバー部である。
【００３１】
以上のように構成された本実施の形態１における加湿器１について、以下その加湿動作を図２を用いて説明する。
まず、加湿を行う室内等に本体部２を設置する。次に、貯水部７に水Ｗを貯留し、気化用フィルタ部１２の下端部を貯水部７に挿入し水Ｗに浸漬すると、気化用フィルタ部１２は水Ｗを吸収しながら下端部側から上端部側へ徐々に水Ｗが浸潤していく。次に、送風機５を駆動するとファン５ｂの回転により気化用部材１０の内部に空気が送入され、送入された空気は気化用フィルタ部１２を通過して外気に放出される。このとき、気化用フィルタ部１２に吸収された水Ｗは自然蒸発し水蒸気となって通過する空気と共に外気に放出され、室内の加湿が行われる。気化用フィルタ部１２は、水蒸気の放出に伴って逐次水Ｗを貯水部７から吸収し、水Ｗが浸潤した状態を維持するので、貯水部７の水Ｗが無くなるまで継続して室内の加湿が行われる。なお、気化用フィルタ部１２の上部と下部はカバー部１３と本体部２で閉塞されているので、気化用部材１０の内部に送入された空気は全て気化用フィルタ部１２を通過して外気に放出される。
【００３２】
また、照明部８の電球８ａを点灯させることにより、透光性を有する気化用フィルタ部１２を通して室内等を照明することができると共に、電球８ａの発熱により気化用フィルタ部１２における水Ｗの自然蒸発を促進させ、加湿効率を高めることができる。
【００３３】
以上のように本実施の形態１における加湿器は構成されているので、以下のような作用を有する。
（１）気化用フィルタ部１２の下端部を貯水部７に挿入し貯留された水Ｗに浸漬して、気化用フィルタ部１２に水Ｗを吸収させ浸潤させることができる。
（２）送風機５により気化用部材１０の内部に送入された空気が気化用フィルタ部１２を通過するときに、気化用フィルタ部１２に吸収された水Ｗが自然蒸発し水蒸気となり、通過する空気と共に外気に放出されることにより、室内等の加湿を行うことができる。
（３）筒状に形成された気化用フィルタ部１２を備え、気化用フィルタ部１２の外周面が外気に露出しているので、通気面積が大きく加湿効率に優れると共に、気化用フィルタ部１２の全周から水蒸気が放出されるので、室内等を均一且つ速やかに加湿することができる。
（４）ベース部３と送風機５と貯水部７と気化用部材１０とにより構成されているので、構造が簡単で生産性に優れると共に、内部で結露が発生し難く衛生性に優れる。
（５）気化用部材１０は気化用フィルタ部１２の下端部で貯水部７の底壁７ｃに載置されているだけなので、簡単に取り外して洗浄等ができ、またベース部３や貯水部７の清掃やメンテナンス等も容易で衛生性及びメンテナンス性に優れる。
（６）気化用部材１０が枠体部１１に気化用フィルタ部１２を張設して形成されているので、気化用フィルタ部１２として薄肉のものや布状のものを用いることができ、気化用フィルタ部１２の選択の幅が広がり、吸水性の高いものや通気性の高いもの等、種々の特性を有するものを選択して用いることができる。
（７）照明部８を備えているので、透光性を有する気化用フィルタ部１２を通して室内等を照明することができ、照明兼加湿器として使用することができる。
【００３４】
（実施の形態２）
図３は本実施の形態２における加湿器の平面図であり、図４は本実施の形態２における加湿器の要部側面断面図である。
図中、４は送風口、５は送風機、６は支持脚部、７は貯水部、８は照明部、１０は気化用部材、１１は枠体部、１２は気化用フィルタ部、１３はカバー部であり、これらは実施の形態１において説明したものと同様のものであるので同一の符号を付けて説明を省略する。１ａは本実施の形態２における加湿器、３ａは平面視卵形状に形成されたベース部、１５は貯水部７の外側部のベース部３ａに円形凹状に形成されたタンク載置部、１６はタンク載置部１５に載置される貯水タンク、１６ａは貯水タンク１６の底部に配設された蓋部、１６ｂは蓋部の略中央部に形成された給水口である。給水口１６ｂは上下に摺動自在に配設された弁体（図示せず）と該弁体を下方へ付勢して給水口１６ｂを閉止するバネ部（図示せず）とを有している。１７はタンク載置部１５の略中央部に形成され給水口１６ａが挿入される給水口挿入溝部、１８は給水口挿入溝部１７の略中央部に突設された弁体押し上げ突起部、１９は給水口挿入溝部１７の下部に連設された水溜め部、２０は水溜め部１９の底部から貯水部７に接続された水供給管、２１は水供給管２０に配設された水供給ポンプ、２２は貯水部７の底部から水溜め部１９に接続された水還流管、２３は水還流管２２に配設された開閉弁、２４は貯水部７に配設された水位検出器である。
【００３５】
以上のように構成された本実施の形態２における加湿器１ａについて、以下貯水部７への給水動作を図３及び図４を用いて説明する。なお、加湿動作は実施の形態１において説明したものと同様であるので説明を省略する。
まず、水を満たした貯水タンク１６をタンク載置部１５に載置すると、給水口１６ｂの弁体が弁体押し上げ突起部１８によりバネ部の弾性力に反して上方へ押圧され、給水口１６ａが開き、貯水タンク１６内の水が流出し、給水口挿入溝部１７を介して水溜め部１９に流下する。なお、水溜め部１９に流下した水の水位が給水口１６ｂの高さに達すると、貯水タンク１６内に空気が流入できなくなるため給水口１６ｂからの水の流出は停止し、水溜め部１９の水位は給水口１６ｂの高さに維持される。
次に、水供給ポンプ２１が駆動されると、水溜め部１９の水が水供給管２０を介して貯水部７に供給される。貯水部７に貯留した水の水位が所定の水位に達すると水位検出器２４が作動して水供給ポンプ２１の駆動が停止する。このようにして、加湿動作中は貯水部７の水位は常に所定の水位に維持される。
なお、水溜め部１９が貯水部７より低い位置に配設されているので、加湿動作を行わない場合（送風機５の駆動停止時等）は、開閉弁２３を開き貯水部７の水を水還流管２２を介して水溜め部１９に流下させることができ、貯水部７を空にして気化用フィルタ部１２を乾いた状態に維持することができる。
【００３６】
以上のように本実施の形態２における加湿器は構成されているので、実施の形態１の作用に加え、以下のような作用を有する。
（１）水位検出器２４により水位の低下を検出したときに水供給ポンプ２１を駆動して水溜め部１９に貯留された水Ｗを上部貯水部１６に供給することで、水Ｗの補給を自動で行うことができる。
（２）開閉弁２３を備えているので、加湿動作を行わない場合、開閉弁２３を開いて貯水部７の水Ｗを水溜め部１９に返送し気化用フィルタ部１２を乾いた状態に維持することができるので、気化用フィルタ部１２にカビ等が発生したり細菌が繁殖したりすることを防ぎ、衛生性に優れる。
（３）貯水タンク１６をタンク載置部１５に載置するだけで水溜め部１９に自動で所定量の水を供給できるので、使用者による水の補給作業が容易であると共に、補給回数も減少し使用性に優れる。
【００３７】
（実施の形態３）
図５は本実施の形態３における加湿器の要部側面断面図である。
図５において、３ａはベース部、４は送風口、５は送風機、６は支持脚部、７は貯水部、８は照明部、１１は枠体部、１２は気化用フィルタ部、１３はカバー部、１５はタンク載置部、１６は貯水タンク、１７は給水口挿入溝部、１８は弁体押し上げ突起部、１９は水溜め部、２１は水供給ポンプ、２２は水還流管であり、これらは実施の形態２において説明したものと同様のものであるので同一の符号を付けて説明を省略する。１ｂは本実施の形態３における加湿器、１０ａは気化用部材、２６は気化用フィルタ部１２の上端部から内側下方に向けて延設された上端フィルタ延設部、２７はベース部３ａの上面に立設された複数の支柱部、２８はベース部３ａの上方に支柱部２５を介して支持された円環状の上部貯水部であり、上端フィルタ延設部２６の先端部が挿入されている。２９は上部貯水部２８に配設された水位検出器、３０は水溜め部１９の底部から水供給ポンプ２１を介して上部貯水部２８に接続された水供給管である。
【００３８】
以上のように構成された本実施の形態３における加湿器１ｂについて、以下気化用フィルタ部の浸潤動作を図５を用いて説明する。なお、その他の加湿動作は実施の形態１において説明したものと同様であるので説明を省略する。
まず、実施の形態２と同様にして水溜め部１９に貯水タンク１６の水が貯留される。水供給ポンプ２１が駆動されると、水溜め部１９の水が水供給管３０を介して上部貯水部２８に供給される。上部貯水部２８に貯留した水の水位が所定の水位に達すると水位検出器２９が作動して水供給ポンプ２１の駆動が停止する。このようにして、加湿動作中は上部貯水部２８の水位は常に所定の水位に維持される。
次に、上端フィルタ延設部２６の先端部を上部貯水部２８に挿入し水Ｗに浸漬すると、上端フィルタ延設部２６が水Ｗを吸収し、気化用フィルタ部１２の上端部側から下端部側へ徐々に水Ｗが浸潤していく。このとき、気化用フィルタ部１２に吸収された水Ｗには気化用フィルタ部１２の吸水作用と共に重力が作用するので、気化用フィルタ部１２は上端部から下端部まで速やかに水Ｗが浸潤し、下端部から滲出した水Ｗは貯水部７、水還流管２２を介して水溜め部１９に流下する。
【００３９】
ここで、カバー部１３の外周部には例えば中心角６０°の等間隔で複数の凸部を形成してもよい。これにより、気化用フィルタ部１２と上端フィルタ延設部２６の間の折り曲げ部分がカバー部１３の外周部で押圧されても、水Ｗが各凸部間に形成される凹部を通って浸潤していくため、気化用フィルタ部１２への給水量を保つことができる。
【００４０】
以上のように本実施の形態３における加湿器は構成されているので、実施の形態１又は２の作用に加え、上端フィルタ延設部２０の先端部を上部貯水部１６に挿入し貯留された水Ｗに浸漬しているので、上端フィルタ延設部２０を介して気化用フィルタ部１２に水を吸収させることができ、気化用フィルタ部１２に吸収された水には気化用フィルタ部１２の吸水作用と共に重力が作用するので、気化用フィルタ部１２の全体に渡って速やかに浸潤させることができ、加湿効率を高めることができるという作用を有する。
【００４１】
（実施の形態４）
図６（ａ）は本実施の形態４における加湿器の気化用部材の要部透視斜視図であり、図６（ｂ）は本実施の形態４における加湿器の気化用部材の上端部の要部断面図である。
図６において、１０は気化用部材、１１は枠体部、１２は気化用フィルタ部、１３はカバー部、３０は水供給管であり、これらは実施の形態１又は２において説明したものと同様のものであるので同一の符号を付けて説明を省略する。４０は水供給管３０に接続され、気化用フィルタ部１２の上端部に配設された円環状の管体からなる水供給部、４０ａは水供給部４０の気化用フィルタ部１２との当接面に穿設された複数の水供給孔である。水供給部４０は合成樹脂等により形成された可撓性を有するパイプに所定間隔で内径が１〜５ｍｍ程度の水供給孔４０ａを穿設して形成され、枠体部１１に沿って環状に接着又は結着されて固定されている。
【００４２】
以上のように構成された本実施の形態４における加湿器が実施の形態３と異なる点は、上部貯水部２８（図５参照）に替えて円環状の管体からなる水供給部４０を備えた点である。この相異により、実施の形態３の作用に加え、水供給部４０として合成樹脂製のパイプ等を用いることができるので、構造を簡単にでき部品点数も少なくでき生産性やメンテナンス性に優れるという作用を有する。
【産業上の利用可能性】
【００４３】
以上説明したように、本発明は気化方式の加湿器に関し、特に本発明によれば、気化用部材の通気面積が大きく加湿効率に優れ、フィルタや本体等の清掃及びメンテナンスが容易で衛生性に優れると共に、デザインの自由度が高く外観に優れる加湿器を提供することができる。
【図面の簡単な説明】
【００４４】
【図１】実施の形態１における加湿器の全体斜視図
【図２】実施の形態１における加湿器の側面断面図
【図３】実施の形態２における加湿器の平面図
【図４】実施の形態２における加湿器の要部側面断面図
【図５】実施の形態３における加湿器の要部側面断面図
【図６】（ａ）実施の形態４における加湿器の気化用部材の要部透視斜視図（ｂ）実施の形態４における加湿器の気化用部材の上端部の要部断面図
【符号の説明】
【００４５】
１，１ａ，１ｂ，１ｃ  加湿器
２  本体部
３，３ａ  ベース部
４  送風口
５  送風機
５ａ  送風機取付部
５ｂ  ファン
６  支持脚部
７  貯水部
７ａ  内周壁
７ｂ  外周壁
７ｃ  底壁
８  照明部
８ａ  電球
８ｂ  ソケット
１０，１０ａ  気化用部材
１１  枠体部
１２  気化用フィルタ部
１３  カバー部
１５  タンク載置部
１６  貯水タンク
１６ａ  蓋部
１６ｂ  給水口
１７  給水口挿入溝部
１８  弁体押し上げ突起部
１９  水溜め部
２０  水供給管
２１  水供給ポンプ
２２  水還流管
２３  開閉弁
２４  水位検出器
２６  上端フィルタ延設部
２７  支柱部
２８  上部貯水部
２９  水位検出器
３０  水供給管
４０  水供給部
４０ａ  水供給孔
Ｗ  水
【図１】
2006170573.tif 000003
【図２】
2006170573.tif 000004
【図３】
2006170573.tif 000005
【図４】
2006170573.tif 000006
【図５】
2006170573.tif 000007
【図６】
2006170573.tif 000008